(57)【要約】【課題】本発明は、口腔内測定装置に関するもので、患者の測定時負荷を小さくすることを目的とするものである。【解決手段】そしてこの目的を達成するために本発明は、把持操作可能な本体ケース１と、この本体ケース１の前方側に配置されるとともに、前部に光測定部２、後部に光入出力部３が形成されたプリズム４と、このプリズム４の前記光入出力部３に対向させて設けた投影部５および撮像部６とを備え、前記プリズム４は、前記光入出力部３から前記光測定部２に向けて長手方向に対して高さが徐々に小さくなる棒状形状とし、前記プリズム４の前記光入出力部３は傾斜面とし、前記投影部５と前記プリズム４の光入出力部間、あるいは前記投影部５、あるいは前記撮像部６と前記プリズム４の光入出力部間、あるいは前記撮像部６、の少なくとも一箇所には、収差補正素子を設けた。【選択図】図３
2010148860.tif 000002
【特許請求の範囲】
【請求項１】
把持操作可能な本体ケースと、この本体ケースの前方側に配置されるとともに、前部に光測定部、後部に光入出力部が形成された第１のプリズムと、この第１のプリズムの前記光入出力部に対向させて設けた投影部および撮像部とを備え、
前記第１のプリズムは、前記光入出力部から前記光測定部に向けて長手方向に対して高さが徐々に小さくなる棒状形状とし、この第１のプリズムの前記光入出力部は傾斜面とし、
前記投影部と前記第１のプリズムの光入出力部間、あるいは前記投影部、あるいは前記撮像部と前記第１のプリズムの光入出力部間、あるいは前記撮像部、の少なくとも一箇所には、収差補正素子を設けた口腔内撮像装置。
【請求項２】
前記第１のプリズムは、後端面が傾斜面となった光入出力部となり、前端面はこの光入出力部の傾斜面と同一方向への傾斜面となった反射面となり、この反射面の下方側に光測定部を配置した構成とした請求項１に記載の口腔内測定装置。
【請求項３】
前記反射面の傾斜角度は４５度よりも小さい角度とした請求項２に記載の口腔内測定装置。
【請求項４】
前記反射面の傾斜角度は３０度以下とした請求項３に記載の口腔内測定装置。
【請求項５】
前記投影部と前記第１のプリズムの光入出力部間に設けた収差補正素子は、第２のプリズムによって構成した請求項１から４のいずれか一つに記載の口腔内撮像装置。
【請求項６】
前記投影部に設けた収差補正素子は、集光レンズにより構成した請求項１から５のいずれか一つに記載の口腔内撮像装置。
【請求項７】
前記撮像部と前記第１のプリズムの光入出力部間に設けた収差補正素子は、第３のプリズムによって構成した請求項１から６のいずれか一つに記載の口腔内撮像装置。
【請求項８】
前記撮像部に設けた収差補正素子は、集光レンズにより構成した請求項１から７のいずれか一つに記載の口腔内撮像装置。
【請求項９】
前記投影部は、傾斜面となった光入出力部に対して所定の角度で配置し、
前記撮像部は、傾斜面となった光入出力部に対して略直角方向に配置した請求項１から６のいずれか一つに記載の口腔内測定装置。
【請求項１０】
前記撮像部は、傾斜面となった光入出力部に対して所定の角度で配置し、
前記投影部は、傾斜面となった光入出力部に対して略直角方向に配置した請求項１から４、７、８のいずれか一つに記載の口腔内測定装置。
【請求項１１】
前記撮像部は、傾斜面となった光入出力部に対して所定の角度で配置し、
前記投影部は、傾斜面となった光入出力部に対して所定の角度で配置した請求項１から８のいずれか一つに記載の口腔内測定装置。
【発明の詳細な説明】
【技術分野】
【０００１】
本発明は、口腔内において歯や歯茎などの測定をする口腔内測定装置に関するものである。
【背景技術】
【０００２】
従来のこの種、口腔内測定装置の構成は、以下のような構成となっていた。
【０００３】
すなわち、把持操作可能な本体ケースと、この本体ケースの前方側に配置されるとともに、前部に光測定部、後部に光入出力部が形成されたプリズムと、このプリズムの前記光入出力部に対向させて設けた投影部および撮像部とを備えた構成となっていた。
【０００４】
具体的には、投影部から出射させた光をプリズムの後部に形成された光入出力部からこのプリズム内に入射させ、次に、このプリズムの光測定部から歯や歯茎に光を出射させ、その後、これら歯や歯茎からの反射光を再び光測定部からプリズム内に入射させ、その後、このプリズムの光入出力部から撮像部に光を出射させ、この撮像部において三角測定法による測定および画像処理を施すことで、測定した歯や歯茎の三次元データを取得するようにしていた（例えば下記特許文献１）。
【先行技術文献】
【特許文献】
【０００５】
【特許文献１】特開２０００−７４６３５号公報
【発明の概要】
【発明が解決しようとする課題】
【０００６】
上記従来例における課題は、口腔内測定時、具体的には歯の測定時に、患者の測定時負荷が大きいということであった。
【０００７】
すなわち、上記従来例の構成では、プリズム先端の角度は略４５度にまで持ち上がっており、従ってプリズムの高さが高くなり、測定部が大型化してしまうこととなる。そして、この大型化した測定部で、患者の歯に対して測定を行っていくのであるが、例えば、口腔内の奥深くにある奥歯の測定においては、測定部が大きいために、患者は大きく口を開ける必要がある。
【０００８】
さらに、歯の測定に際しては、１本の歯に対して上面、左側面、右側面と３回の測定を行う必要があり、測定に時間がかかるのであるが、患者はその間、大きく口を開けたままの状態を維持しなければならず、このような状態は、患者の測定時負荷を極めて大きいものにしていた。
【０００９】
そこで本発明は、患者の測定時負荷を小さくすることを目的とする。
【課題を解決するための手段】
【００１０】
そして、この目的を達成するために本発明は、把持操作可能な本体ケースと、この本体ケースの前方側に配置されるとともに、前部に光測定部、後部に光入出力部が形成された第１のプリズムと、この第１のプリズムの前記光入出力部に対向させて設けた投影部および撮像部とを備え、前記第１のプリズムは、前記光入出力部から前記光測定部に向けて長手方向に対して高さが徐々に小さくなる棒状形状とし、この第１のプリズムの前記光入出力部は傾斜面とし、前記投影部と前記第１のプリズムの光入出力部間、あるいは前記投影部、あるいは前記撮像部と前記第１のプリズムの光入出力部間、あるいは前記撮像部、の少なくとも一箇所には、収差補正素子を設ける構成とし、これにより初期の目的を達成するものである。
【発明の効果】
【００１１】
以上のように本発明は、把持操作可能な本体ケースと、この本体ケースの前方側に配置されるとともに、前部に光測定部、後部に光入出力部が形成された第１のプリズムと、この第１のプリズムの前記光入出力部に対向させて設けた投影部および撮像部とを備え、前記第１のプリズムは、前記光入出力部から前記光測定部に向けて長手方向に対して高さが徐々に小さくなる棒状形状とし、この第１のプリズムの前記光入出力部は傾斜面とし、前記投影部と前記第１のプリズムの光入出力部間、あるいは前記投影部、あるいは前記撮像部と前記第１のプリズムの光入出力部間、あるいは前記撮像部、の少なくとも一箇所には、収差補正素子を設ける構成としたものであるので、患者の測定時負荷を小さくすることができる。
【００１２】
すなわち、本発明においては、把持操作が簡単に行えるようにするために、プリズムは前部に光測定部、後部に光入出力部が形成され、また、このプリズムは、前記光入出力部から前記光測定部に向けて長手方向に対して高さが徐々に小さくなる棒状形状とし、さらに、このプリズム後部の光入出力部は傾斜面としている。そのため、光測定部の設けられたプリズム前部を小さくすることができるので、測定に際しては患者の口を大きく開けることなく、前記光測定部を患者の口腔内の奥深くまで簡単に挿入することができる。その結果として、患者は口を小さく開けた状態で口腔内の測定をすることができるので、患者の測定時負荷を小さくすることができる。
【図面の簡単な説明】
【００１３】
【図１】本発明の一実施形態を示す斜視図
【図２】その本体ケース１を取り外した状態を示す斜視図
【図３】その光学経路を示すブロック図
【図４】その測定例を示すブロック図
【図５】その偏光体１２を示すブロック図
【図６】本発明の他の実施形態を示すブロック図
【図７】本発明のさらに他の実施形態を示すブロック図
【図８】本発明のさらに他の実施形態を示すブロック図
【図９】本発明のさらに他の実施形態を示すブロック図
【図１０】本発明のさらに他の実施形態を示すブロック図
【図１１】本発明のさらに他の実施形態を示す上面からみたブロック図
【図１２】本発明のさらに他の実施形態を示す側面からみたブロック図
【発明を実施するための形態】
【００１４】
（実施の形態１）
以下、本発明の一実施形態を添付図面を用いて説明する。
【００１５】
図１において、１は把持操作可能な本体ケースで、この本体ケース１内の前方側には、図２に示すごとく、前部に光測定部２、後部に光入出力部３が形成されたプリズム４が配置されている。また、このプリズム４の前記光入出力部３に対向させて、投影部５および撮像部６とが配置され、この状態で、投影部５および撮像部６が、前記本体ケース１内の中部から後方にかけて設けられている。
【００１６】
また、図３に示すごとく、プリズム４の上面４ａと下面４ｂは、プリズム４の内部で全反射性を満たす角度で構成させている。そのため、プリズム４は、前記光入出力部３から前記光測定部２に向けて長手方向に対して高さが徐々に小さくなる棒状形状とし、このプリズム４の光入出力部３は、上辺３ａが下辺３ｂよりも後方側となる傾斜面となっている。
【００１７】
また、プリズム４の前端面は光入出力部３と同一方向に傾斜した反射面６Ａとなっており、具体的には、この反射面は、全反射性のミラー層をコーティングした前端面ミラーとなっている。そして、この反射面６Ａの下方に光測定部２を配置している。
【００１８】
なお、反射面６Ａの傾斜を、プリズム４の下面４ｂに対して４５度よりも小さい角度、好ましくは３０度以下にすることにより、図４に示すごとく、光測定部２の設けられたプリズム４の前部を小さくすることができるので、患者の口を大きく開けることなく、光測定部を患者の口腔内の奥深くまで簡単に挿入することができる。その結果として、患者は口を小さく開けた状態で口腔内の測定をすることができるので、患者の測定時負荷を小さくすることができるものとなっている。
【００１９】
また、傾斜面となった光入出力部３の所定間隔離れた部分には、図３に示すように、三角測量を行うためのパターンを測定対象に投影する投影部５、および、前記測定対象からの反射を撮像する撮像部６を、プリズム４後部の光入出部３に対向させて上下方向に配置している。
【００２０】
なお、投影部５はプリズム４後部の傾斜面となった光入出力部３に対して所定の角度をもって、つまり、光入出力部３に対して傾斜して配置している。一方、撮像部６は、プリズム４後部の傾斜面となった光入出力部３に対して略直角方向で配置している。
【００２１】
また、前記投影部５は、後方から前方側（プリズム４側）に向けて、青色の発光素子７、ライトパイプ８、複数のレンズで構成される照明レンズ群９、平行光変換用のレンズ１０、偏光体１１、投影レンズ群１２で構成されている。
【００２２】
そして、この投影部５とプリズム４の傾斜面となった光入出力部３との間には、収差補正素子として、くさび状をしたプリズム１３を設けた構成となっており、このプリズム１３によって、投影部５が光入出力部３に対して傾斜して配置されることによって生じる収差を補正している。
【００２３】
なお、投影レンズ群１２は、光源部７側から順番に、投影補正レンズである凸レンズ１４（集光レンズ）と、２枚のメニスカスレンズを貼り合せた接合レンズ１５と、凸側をプリズム４側に配置したメニスカスレンズ１６と、凸レンズ１７とを備え、傾斜面となった光入出力部３に対して、投影レンズ群１２の光軸１８が傾斜して配置されている。
【００２４】
そして、光入出力部３に対して傾斜した光軸１８および光軸１８を中心とした投射光は、図３に示すごとく、収差補正素子であるプリズム１３によって、光入出力部３の垂直方向に偏向させられ、略直角（例えば、今回は８０度）の角度で光入出力部３に入射する。
【００２５】
また、前記撮像部６は前方側から後方側に向けて、撮像レンズ群１９と撮像素子２０とを順番に配置した構成となっている。
【００２６】
なお、撮像レンズ群１９は、前方側から後方側に向けて順番に、凸レンズ２１と、凹レンズ２２と、凸レンズ２３と、凸側を撮像素子２０側に配置した撮像補正レンズとしてメニスカスレンズ２４（集光レンズ）とを備え、傾斜面となった光入出力部３に対して、撮像レンズ群１９の光軸２５が略垂直となるように配置されている。
【００２７】
以上の構成において、歯の形状を測定する例を図４を用いて説明する。
【００２８】
上述のごとく、プリズム４は、その前端側の反射面６Ａをプリズム４の下面４ｂに対して、例えば、本実施形態では３０度に傾けて配置している。また、プリズム４は、その後端側の光入出力部３から前端側の光測定部２に向けて、長手方向に対して高さが徐々に小さくなる棒状形状としている。そのため、その先端側の小径部を十分に小さくすることができ、患者の口を大きく開けることなく、光測定部を患者の口腔内の奥深くまで簡単に挿入することができる。
【００２９】
そして、この時の測定は、患者の口を小さく開けた状態で、例えば光測定部２の下部に存在する奥歯２６の三次元データを取得することができるので、患者の測定時負荷を小さくすることができるものとなっている。
【００３０】
この測定について更に具体的に説明すると、上述した図３の青色の発光素子７から出射された光はライトパイプ８、照明レンズ群９、平行光変換用のレンズ１０を介して偏光体１１へと入射する。
【００３１】
この偏光体１１は、本実施形態における三角測量を行う場合の位相シフト法を利用するために必要なものであるが、この位相シフト法自体は公知の技術であるので、この点は説明の煩雑化を避けるために詳細な説明は省略する。ただし、この偏光体１１が存在することで光の進行方向が変わるので、この光の進行方向については詳細に説明する。
【００３２】
すなわち、図５に示すごとく、偏光体１１は、その入射側にＳ偏光透過型の偏光板２７を有しており、よって、この偏光板２７を通過できるのはＳ偏光だけとなる。このＳ偏光は反射膜２８で直交方向に反射され、λ／４板（４５度）２９を通過後、ミラー３０で反射され、再びλ／４板２９を通過してＰ偏光となり、このＰ偏光は反射膜２８を通過し、次にλ／４板（０度）３１を通過後、反射型液晶表示素子３２で反射し、この反射波のＳ偏光はλ／４板３１を通過後、反射膜２８で反射し、Ｓ偏光透過型の偏光板３３を通過してプリズム４方向へと進行する。
【００３３】
なお、反射型液晶表示素子３２で反射した反射波のＰ偏光は反射膜２８を通過し、ミラー３０で反射し、反射膜２８で反射され、発光素子７側へと進行する。つまり、このＰ偏光はλ／４板２９を往復で通過することでＳ偏光となるので、反射膜２８で反射され、発光素子７側へと進行するのである。
【００３４】
さて、Ｓ偏光透過型の偏光板３３を通過してプリズム４方向へと進行する光は、図４に示す収差補正素子であるプリズム１３によって、光入出力部３に対して直交する方向に偏向を受け、その結果として、プリズム４の光入出力部３に対して略直交する方向（例えば、今回は８０度）で光をこのプリズム４内に入射させることができるので、このプリズム４への入射時に光が歪むことがなく、よって図４に示すごとくプリズム４の壁面で複数回反射した後、上述したとおり光測定部２から奥歯２６に出射され、その反射光が再びこの光測定部２からプリズム４内に入射し、それがプリズム４で複数回反射した後、光入出力部３から撮像素子２０へと出射され、この撮像素子２０による撮像データで奥歯２６の三次元データを得ることができる。
【００３５】
この場合、この図３からも明らかなように撮像素子２０を含む撮像部６は、この光入出力部３に対して略直角方向に設けているので、光入出力部３から撮像部６に向けて進行する光に歪みは生じず、よって、撮像素子２０によって奥歯２６の適切な三次元データを得ることができる。
【００３６】
ここで、収差補正素子として、投影部５とプリズム４の傾斜面となった光入出力部３との間に設けられたプリズム１３について、さらに説明を行う。
【００３７】
上述のごとく、プリズム４は、その前端側の反射面６Ａをプリズム４の下面４ｂに対して、例えば、本実施形態では３０度に傾けて配置し、その後端側の光入出力部３から前端側の光測定部２に向けて、長手方向に対して高さが徐々に小さくなる棒状形状としている。そのため、その先端側の小径部を十分に小さくすることができ、その結果として、光測定部２を、この図４に示すごとく口腔内の奥深くまで簡単に挿入することができる。
【００３８】
そして、光測定部が小さいために、患者は小さく口を開けた状態で口腔内の測定をすることができるようになる。また、歯の測定に際しては、１本の歯に対して、上面、左側面、右側面と３回の測定を行う必要があり、測定に時間がかかるのであるが、たとえ測定に時間がかかったとしても、患者は小さく口を開けた状態で口腔内の測定ができるので、患者の測定時負荷を小さくすることができるものとなっている。
【００３９】
しかしその一方で、投影部５を光入出力部３に対して傾斜した状態で配置しているために、投影部５からプリズム４後部の光入出力部３への光の入射角度と、プリズム４前部の光測定部２から歯２６への光の出射角度に差が出ることになり、投影画像に、片ボケを発生させる像面湾曲や、投影画像の縦方向と横方向で焦点位置が異なったボケた画像になってしまう非点隔差などの、いわゆる収差が発生する。そのため、歯２６に投影する投影画像が不正確な状態になり、このままでは、適切な三次元データを取得することができなくなってしまう。
【００４０】
そこで、本実施形態では、投影部５と光入出力部３との間に、収差補正素子として、くさび状をしたプリズム１３を設けている。つまり、投影部５を光入出力部３に対して傾斜した状態で配置しているために発生する収差をこのプリズム１３が補正し、適切な三次元データを取得することができるものとなっている。
【００４１】
（実施の形態２）
図６は、本発明の他の実施形態を示し、この実施形態においては図３に示すプリズム１３を廃止し、収差補正素子として、投射部５内部に集光レンズである凸レンズ１４を設けたものである。なお、この凸レンズ１４は、その光軸１８に対して傾斜して配置している。
【００４２】
そして、図６に示すごとく、プリズム４の入出力部３に対して投影部５が傾斜して配置された場合、この投影部５からプリズム４の光入出力部３に向けて出射される光は、プリズム４の光入出力部３に斜めに進入するので、像面湾曲や、非点隔差などのいわゆる収差が発生する。
【００４３】
しかし、収差補正素子として投影部５内部に設けた凸レンズ１４を傾斜させることで、特に像面湾曲を補正することができ、投影される基準パターンが片ボケ状態になることを抑制することができる。また、凸レンズ１４を光軸１８に対して垂直方向に偏芯させることでも同様の効果を得ることができる。
【００４４】
これによれば、プリズム１３を廃止することができる分、構成の簡素化が図れる。
【００４５】
そのため、本実施形態においては、適切な収差補正を実施した状態で、プリズム４の先端側の小径部を十分に小さくすることができる。その結果として、患者は口を小さく開けた状態で、口腔内の測定をすることができるので、患者の測定時負荷を小さくすることができる。
【００４６】
（実施の形態３）
図７は本発明の、さらに他の実施形態を示し、この実施形態では図３の収差補正素子であるプリズム１３を用いた状態で、さらに収差補正素子としての凸レンズ１４（集光レンズ）を傾斜させ、これにより収差を補正する構成としたものである。また、凸レンズ１４を光軸１８に対して垂直方向に偏芯させることでも同様の効果を得ることができる。
【００４７】
これによれば、凸レンズ１４の傾斜角度を微調整することで、より適切な収差補正が図れるものとなる。
【００４８】
そのため、本実施形態においては、適切な収差補正を実施した状態で、プリズム４の先端側の小径部を十分に小さくすることができる。その結果として、患者は口を小さく開けた状態で、口腔内の測定をすることができるので、患者の測定時負荷を小さくすることができる。
【００４９】
（実施の形態４）
図８は本発明の、さらに他の実施形態を示し、この実施形態は、図３の投影部５と撮像部６の上下の配置を入れ替えたものである。この配置では、投影部５はプリズムの入出力部３に対して略直角方向に配置され、撮像部６はプリズムの入出力部３に対して傾斜して配置されている。そして、図３に示すプリズム１３を廃止し、光入出力部３と撮像部６の間に収差補正素子として、くさび形プリズム３４を配置したものである。
【００５０】
この実施形態では、撮像部６を光入出力部３に対して斜めに配置しているため、歯２６からプリズム４前部の光測定部２への光の入射角度と、プリズム４後部の光入出力部３から撮像部６への光の出射角度に差が出ることになり、これにより像面湾曲や非点隔差などの、いわゆる収差が発生する。そのため、歯２６からの画像が不正確な状態で撮像部６に入ってくることになり、適切な三次元データを取得することができなくなる。
【００５１】
そのため、本実施形態では、撮像部６とプリズム４の光入出力部３との間に、収差補正素子としてくさび状をしたプリズム３４を設けている。そして、このプリズム３４が収差を補正することで、撮像素子２０によって奥歯２６の適切な三次元データを得ることができる。
【００５２】
そのため、本実施形態においては、適切な収差補正を実施した状態で、プリズム４の先端側の小径部を十分に小さくすることができる。その結果として、患者は口を小さく開けた状態で、口腔内の測定をすることができるので、患者の測定時負荷を小さくすることができる。
【００５３】
（実施の形態５）
図９は、本発明の他の実施形態を示し、この実施形態においては図９に示すプリズム３４を廃止し、収差補正素子として、撮像部６内部に撮像補正レンズであるメニスカスレンズ２４（集光レンズ）を設けたものである。なお、このメニスカスレンズ２４は、その光軸２５に対して傾斜して配置している。
【００５４】
このようにプリズムの入出力部３に対して撮像部６が傾斜して配置された場合、プリズム４の光入出力部３から撮像部６に向けて出射される光は、撮像部６の光軸２５に対して斜めに進入するので、投影画像に片ボケを発生させる像面湾曲や、投影画像の縦方向と横方向で焦点位置が異なったボケた画像になってしまう非点隔差などのいわゆる収差が発生するが、撮像部６内部に配置したメニスカスレンズ２４を傾斜させることで、特に像面湾曲を補正することができ、投影される基準パターンが片ボケ状態になることを抑制することができる。
【００５５】
また、メニスカスレンズ２４を光軸２５に対して垂直方向に偏芯させることでも同様の効果を得ることができる。
【００５６】
これによれば、プリズム３４を廃止することができる分、構成の簡素化が図れる。
【００５７】
そのため、本実施形態においては、適切な収差補正を実施した状態で、プリズム４の先端側の小径部を十分に小さくすることができる。その結果として、患者は口を小さく開けた状態で、口腔内の測定をすることができるので、患者の測定時負荷を小さくすることができる。
【００５８】
（実施の形態６）
図１０は本発明の、さらに他の実施形態を示し、この実施形態では図８の収差補正素子であるプリズム３４を用いた状態で、さらに収差補正素子としてのメニスカスレンズ２４（集光レンズ）を傾斜させ、これにより収差を補正する構成としたものである。
【００５９】
また、メニスカスレンズ２４を光軸２５に対して垂直方向に偏芯させることでも同様の効果を得ることができる。
【００６０】
これによれば、メニスカスレンズ２５の傾斜角度を微調整することで、より適切な収差補正が図れるものとなる。
【００６１】
そのため、本実施形態においては、適切な収差補正を実施した状態で、プリズム４の先端側の小径部を十分に小さくすることができる。その結果として、患者は口を小さく開けた状態で、口腔内の測定をすることができるので、患者の測定時負荷を小さくすることができる。
【００６２】
（実施の形態７）
図１１および図１２は本発明の、さらに他の実施形態を示し、この実施形態では、図８の投影部５と撮像部６を上下の配置から左右の配置に置き換えたものであり、図１１は、本実施形態を上面から見たものを示している。そして、図１１に示すごとく、本実施形態を上面からみると、投影部５および撮像部６は、プリズム４の光入出力部３に対して傾斜して配置されている。
【００６３】
また、図１２に示すごとく、本実施形態を側面からみると、投影部５および撮像部６は、プリズム４の光入出力部３に対して略直角方向に配置されている。なお、撮像部６は、図１２においては、投影部５の向こう側に配置されるので見えていない。
【００６４】
そして、図８のくさび形プのリズム３４を用いた状態で、光入出力部３と投影部５の間に収差補正素子として、くさび形のプリズム１３を配置したものである。
【００６５】
また、投影部５の内部には、収差補正素子として凸レンズ１４（集光レンズ）を設け、撮像部６内部には、収差補正素子としてメニスカスレンズ２４（集光レンズ）を設けた構成となっている。
【００６６】
そして、これら４つの収差補正素子、つまり、プリズム１３、凸レンズ１４、プリズム３４、メニスカスレンズ２４によって、収差を補正する構成としたものである。
【００６７】
なお、本実施形態では、収差補正素子として、プリズム１３、凸レンズ１４、プリズム３４、メニスカスレンズ２４の４つを設けた構成にしているが、これらは、求められる測定精度や発生する収差の程度によって、これらを適時組み合わせて、最も効果が大きい構成で収差補正を行えばよい。
【００６８】
そのため、本実施形態においては、適切な収差補正を実施した状態で、プリズム４の先端側の小径部を十分に小さくすることができる。その結果として、患者は口を小さく開けた状態で、口腔内の測定をすることができるので、患者の測定時負荷を小さくすることができる。
【産業上の利用可能性】
【００６９】
以上のように本発明は、把持操作可能な本体ケースと、この本体ケースの前方側に配置されるとともに、前部に光測定部、後部に光入出力部が形成された第１のプリズムと、この第１のプリズムの前記光入出力部に対向させて設けた投影部および撮像部とを備え、前記第１のプリズムは、前記光入出力部から前記光測定部に向けて長手方向に対して高さが徐々に小さくなる棒状形状とし、この第１のプリズムの前記光入出力部は傾斜面とし、前記投影部と前記第１のプリズムの光入出力部間、あるいは前記投影部、あるいは前記撮像部と前記第１のプリズムの光入出力部間、あるいは前記撮像部、の少なくとも一箇所には、収差補正素子を設ける構成としたものであるので、患者の測定時負荷を小さくすることができる。
【００７０】
すなわち、本発明においては、把持操作が簡単に行えるようにするために、プリズムは前部に光測定部、後部に光入出力部が形成され、また、このプリズムは、前記光入出力部から前記光測定部に向けて長手方向に対して高さが徐々に小さくなる棒状形状とし、さらに、このプリズム後部の光入出力部は傾斜面としている。そのため、光測定部の設けられたプリズム前部を小さくすることができるので、測定に際しては患者の口を大きく開けることなく、前記光測定部を患者の口腔内の奥深くまで簡単に挿入することができる。その結果として、患者は口を小さく開けた状態で口腔内の測定をすることができるので、患者の測定時負荷を小さくすることができる。
【００７１】
したがって、口腔内測定装置としての活用が大きく期待されるものとなる。
【符号の説明】
【００７２】
１  本体ケース
２  光測定部
３  光入出力部
３ａ  上辺
３ｂ  下辺
４  プリズム
５  投影部
６  撮像部
６Ａ  反射面
７  発光素子
８  ライトパイプ
９  照明レンズ群
１０  レンズ
１１  偏光体
１２  投影レンズ群
１３  プリズム
１４  凸レンズ
１５  接合レンズ
１６  メニスカスレンズ
１７  凸レンズ
１８  光軸
１９  撮像レンズ群
２０  撮像素子
２１  凸レンズ
２２  凹レンズ
２３  凸レンズ
２４  メニスカスレンズ
２５  光軸
２６  奥歯
２７  偏光板
２８  反射膜
２９  λ／４板（４５度）
３０  ミラー
３１  λ／４板（０度）
３２  反射型液晶表示素子
３３  偏光板
３４  くさび形プリズム
【図１】
2010148860.tif 000003
【図２】
2010148860.tif 000004
【図３】
2010148860.tif 000005
【図４】
2010148860.tif 000006
【図５】
2010148860.tif 000007
【図６】
2010148860.tif 000008
【図７】
2010148860.tif 000009
【図８】
2010148860.tif 000010
【図９】
2010148860.tif 000011
【図１０】
2010148860.tif 000012
【図１１】
2010148860.tif 000013
【図１２】
2010148860.tif 000014